(57)【要約】【課題】締付時の作業性を向上させることができ、且つ、部品点数を削減することができるバッテリー端子を提供する。【解決手段】端子本体２０は、バッテリーポスト６０を包囲する弧状の電極保持部２１と、電極保持部２１の両端から外側へ突出する２つの締付部とを一体に有する。ボルト７０とボルト受部のうち、締付時に相手側に対して相対的に可動する可動側の部材には、バッテリーポスト６０の軸線に対応する縦方向と交差する方向に傾斜したカム部９０が設けられ、可動側の部材の動作方向が縦方向に設定されている。２つの締付部のうち、可動側の部材によって押動される一方の締付部には、締付時にカム部９０と摺動することにより、一方の締付部を横方向に変位させて他方の締付部側に接近させるカム受部２７が設けられている。【選択図】図２
2016149186.tif 000002
【特許請求の範囲】
【請求項１】
金属板からなる端子本体を備え、前記端子本体は、バッテリーポストを包囲する弧状の電極保持部と、前記電極保持部の両端から外側へ突出する２つの締付部とを一体に有し、前記２つの締付部にはボルトが挿通され、前記ボルトにはボルト受部が螺合され、前記ボルトと前記ボルト受部を締め付けて前記２つの締付部を接近させることにより、前記電極保持部が縮径変形して、前記端子本体が前記バッテリーポストに取り付け固定されるものであって、
前記ボルトと前記ボルト受部のうち、締付時に相手側に対して相対的に可動する可動側の部材には、前記バッテリーポストの軸線に対応する縦方向と交差する方向に傾斜したカム部が設けられ、前記可動側の部材の動作方向が前記縦方向に設定されており、
前記２つの締付部のうち、前記可動側の部材によって押動される一方の締付部には、前記締付時に前記カム部と摺動することにより、前記一方の締付部を横方向に変位させて他方の締付部側に接近させるカム受部が設けられていることを特徴とするバッテリー端子。
【請求項２】
前記可動側の部材が前記ボルトであって、前記ボルトの頭部が前記縦方向の上方に露出して配置され、前記カム部が前記ボルトの軸部に設けられていることを特徴とする請求項１記載のバッテリー端子。
【請求項３】
前記カム受部が前記縦方向と交差する方向に傾斜した形態であることを特徴とする請求項１又は２記載のバッテリー端子。
【請求項４】
前記他方の締付部には、前記締付時に前記一方の締付部における縦方向の上下両端と摺動可能な上壁部及び下壁部が設けられていることを特徴とする請求項１ないし３のいずれか１項記載のバッテリー端子。
【発明の詳細な説明】
【技術分野】
【０００１】
本発明は、バッテリー端子に関する。
【背景技術】
【０００２】
特許文献１に開示のバッテリ用電気接続具（バッテリー端子）は、バッテリポストを包囲する弧状のポスト圧接部（電極保持部）と、ポスト圧接部の一端に連なり、上壁と下壁によって正面視コ状をなす圧接操作部と、ポスト圧接部の他端に連なり、上壁と下壁との間に配置される受け辺とを一体に有する電気接続具本体を備えている。さらに、バッテリ用電気接続具は、ポスト圧接部に対向して配置される圧接板と、圧接板を押圧するテーパ部を有する締付ボルトと、圧接操作部の外側に係止され、締付ボルトの圧接操作部での位置決めを行うボルト保持枠とを備えている。バッテリポストへの取り付けに際し、まずポスト圧接部と圧接板との間にバッテリポストが挿入され、次いで、締付ボルトが締め付けられる。すると、圧接板が締付ボルトのテーパ部によってバッテリポスト側に押動され、バッテリポストがポスト圧接部と圧接板との間に挟持されて、バッテリ用電気接続具がバッテリポストに取り付けられるようになっている。
【先行技術文献】
【特許文献】
【０００３】
【特許文献１】実開平５−８４０４９号公報
【発明の概要】
【発明が解決しようとする課題】
【０００４】
上記構成によれば、締付ボルトの軸線を縦方向（上下方向）に向けた状態で締付作業を行うことができるため、締付時の作業性を向上させることができた。しかし、電気接続具本体、圧接板及びボルト保持枠がそれぞれ別体とされるため、部品管理等が煩わしく、組み付けの作業負担が大きいのに加え、コストの上昇を招き易いという問題があった。
【０００５】
本発明は上記のような事情に基づいて完成されたものであって、締付時の作業性を向上させることができ、且つ、部品点数を削減することができるバッテリー端子を提供することを目的とする。
【課題を解決するための手段】
【０００６】
本発明のバッテリー端子は、金属板からなる端子本体を備え、前記端子本体は、バッテリーポストを包囲する弧状の電極保持部と、前記電極保持部の両端から外側へ突出する２つの締付部とを一体に有し、前記２つの締付部にはボルトが挿通され、前記ボルトにはボルト受部が螺合され、前記ボルトと前記ボルト受部を締め付けて前記２つの締付部を接近させることにより、前記電極保持部が縮径変形して、前記端子本体が前記バッテリーポストに取り付け固定されるものであって、前記ボルトと前記ボルト受部のうち、締付時に相手側に対して相対的に可動する可動側の部材には、前記バッテリーポストの軸線に対応する縦方向と交差する方向に傾斜したカム部が設けられ、前記可動側の部材の動作方向が前記縦方向に設定されており、前記２つの締付部のうち、前記可動側の部材によって押動される一方の締付部には、前記締付時に前記カム部と摺動することにより、前記一方の締付部を横方向に変位させて他方の締付部側に接近させるカム受部が設けられているところに特徴を有する。
【発明の効果】
【０００７】
可動側の部材がバッテリーポストの軸線に対応する縦方向に締め付けられると、カム受部がカム部と摺動して、一方の締付部が横方向に変位し、これによって２つの締付部が接近して電極保持部が縮径変形し、端子本体がバッテリーポストに取り付け固定されるため、締付作業を縦方向から行うことができ、作業性を向上させることができる。しかも、２つの締付部と電極保持部とが端子本体に一体に形成され、ボルト等を除けば、さらなる別部材が必要とされないため、従来に比べて、部品点数を削減することができる。
【図面の簡単な説明】
【０００８】
【図１】実施例１において、バッテリー端子をバッテリーポストに取り付ける前の状態を示す要部破断正面図である。
【図２】バッテリー端子をバッテリーポストに取り付けた状態を示す要部破断正面図である。
【図３】端子本体の展開図である。
【図４】実施例２のバッテリー端子の要部破断正面図である。
【発明を実施するための形態】
【０００９】
本発明の好ましい実施形態を以下に示す。
前記可動側の部材が前記ボルトであって、前記ボルトの頭部が前記縦方向の上方に露出して配置され、前記カム部が前記ボルトの軸部に設けられている。これによれば、上方に露出するボルトの頭部にインパクトレンチ等の締付工具を支障なく係合させることができ、締付作業を容易に行うことができる。
【００１０】
前記カム受部が前記縦方向と交差する方向に傾斜した形態である。これによれば、カム受部もカム作用を発揮するため、一方の締付部の変位動作を円滑に行うことができる。
【００１１】
前記他方の締付部には、前記締付時に前記一方の締付部における縦方向の上下両端と摺動可能な上壁部及び下壁部が設けられている。これによれば、上壁部と下壁部との間にガイドされて、一方の締付部の変位動作を円滑に行うことができる。
【００１２】
＜実施例１＞
以下、実施例１を図１〜図３によって説明する。実施例１のバッテリー端子１０は、バッテリーポスト６０に対して図示しない電線を電気的に接続するためのものであり、図１及び図２に示すように、金属板を曲げ加工等して一体に成形された端子本体２０と、ボルト７０と、ボルト受部としてのナット８０とを備えている。なお、以下の説明において、前後方向については図１及び図２の紙面手前側を前側とし、上下方向は図１及び図２を基準とする。また、上下方向は、ほぼ縦方向と同義であり、左右方向は、ほぼ横方向と同義である。
【００１３】
図１に示すように、バッテリーポスト６０は、バッテリー本体６１の上面から突出して配置され、全体として円錐台形状をなしている。バッテリーポスト６０の軸線は、上下方向に向けられ、バッテリーポスト６０の外周は、上端へ向けてテーパ状に縮径する形態になっている。
【００１４】
端子本体２０は、電線に接続される図示しない電線接続部と、バッテリーポスト６０に保持される電極保持部２１と、電極保持部２１をバッテリーポスト６０に保持させるための２つの締付部（以下、第１、第２締付部２２、２３という）とを一体に有している。図示はしないが、電線接続部は、電線の導体に圧着により接続されている。
【００１５】
電極保持部２１は、平面視円弧状（平面視Ｃ字形状）をなし、バッテリーポスト６０を包囲するように軸線を上下方向に向けた状態で配置される。また、電極保持部２１は、バッテリーポスト６０と同様に全体として円錐台形をなし、内側にバッテリーポスト６０が遊嵌される拡径状態からバッテリーポスト６０の外周面に密着する縮径状態へと変形可能とされている。電極保持部２１の周方向の両端は、図１及び図２における向かって右側に位置する第１端２４と、向かって左側に位置する第２端２５とからなり、これら第１、第２端２４、２５が上下方向に一定幅の開口を挟んで対向して配置されている。
【００１６】
第１、第２締付部２２、２３は、電極保持部２１の第１、第２端２４、２５に一体に連結されている。第１締付部２２は、全体として、電極保持部２１の第１端２４の上下方向中央部に連結された部分から前側へ突出する形状とされている。図１及び図２に示すように、第１締付部２２は、電極保持部２１の第２端２５側（図１の向かって左側）へ膨出するように湾曲した第１対向壁部２６を有している。第１対向壁部２６の膨出端部には、その下端から上端にかけて後述する第２対向壁部２８に次第に近づくように傾斜するカム受部２７が設けられている。カム受部２７の内面には、ボルト７０の後述するカム部９０が摺動可能とされている。図３に示すように、端子本体２０の展開形状によれば、第１締付部２２は、電極保持部２１の長さ方向に連続して延出する形態になっている。
【００１７】
第２締付部２３は、全体として、電極保持部２１の第２端２５の上下方向中央部から前側へ突出する形状とされている。図１及び図２に示すように、第２締付部２３は、電極保持部２１の第２端２５との連結部分から連続する上下方向に沿った第２対向壁部２８と、第２対向壁部２８の上端から第１端２４側（図１の向かって右側）へ突出する上壁部２９と、第２対向壁部２８の下端から同じく第１端２４側へ突出する下壁部３１と、下壁部３１の突出端から下方へ短く突出する連結壁部３２と、連結壁部３２の下端から第２端２５側へ短く突出する下端壁部３３とからなる。
【００１８】
図１及び図２に示すように、上壁部２９と下壁部３１と下端壁部３３は、それぞれ左右方向に沿って配置され、且つ上下方向で互いに対向して配置されている。第２対向壁部２８と連結壁部３２は、それぞれ上下方向に沿って配置され、且つ上下方向に位置ずれして配置されている。上壁部２９と下壁部３１との間には、第１締付部２２の第１対向壁部２６が略位置決め状態で挿入されている。
【００１９】
図１及び図２に示すように、上壁部２９と下壁部３１には、ボルト７０の軸部７１を挿通可能な軸受孔３４、３５が設けられている。軸受孔３４、３５は、上壁部２９と下壁部３１を上下方向（上壁部２９と下壁部３１の板厚方向）に同軸に貫通する形態になっている。両軸受孔３４、３５のうち、上壁部２９に設けられた軸受孔３４は、下壁部３１に設けられた軸受孔３５よりも大きな開口径を有している。第１対向壁部２６のカム受部２７は、上壁部２９に設けられた軸受孔３４に下方から臨むように配置されている。また、上壁部２９の上面には、軸受孔３４の周縁から立ち上がる円筒状のバーリング部３６が設けられている。バーリング部３６は、上壁部２９に軸受孔３４を成形する際に打ち抜き加工（バーリング加工）を行うのに伴って形成されるものである。
【００２０】
下壁部３１と連結壁部３２と下端壁部３３との間に区画される内側は、ナット８０を収容可能な収容凹部３７とされている。収容凹部３７は、第１端２４側及び前後両方向に開放され、上下方向の開口寸法がナット８０の厚みとほぼ同一に設定されている。ナット８０は、ねじ孔８１を有する公知のものであり、第２締付部２３の収容凹部３７に位置決め状態で装着される。下端壁部３３の突出端は、収容凹部３７に装着されたナット８０のねじ孔８１内に臨む位置に達せず、ナット８０に螺合されるボルト７０の軸部７１の先端との干渉を回避可能とされている（図２を参照）。図３に示すように、端子本体２０の展開形状によれば、第２締付部２３は、電極保持部２１の長さ方向に短く突出したあと長さ方向と直交する方向に延出する形態になっている。
【００２１】
図１及び図２に示すように、ボルト７０は、上下方向に沿った軸部７１と、軸部７１の上端から周方向に張り出す頭部７２とからなる。本実施例の場合、ナット８０が収容凹部３７に固定された状態で、ボルト７０が、可動側の部材として、下方へと螺進するように構成されている。
【００２２】
図１及び図２に示すように、軸部７１の上部には、大径の大径部７３が設けられ、軸部７１の下部には、小径の小径部７４が設けられている。大径部７３は、上壁部２９の軸受孔３４に位置決め状態で挿通され、小径部７４は、下壁部３１の軸受孔３５に位置決め状態で挿通される。ボルト７０の軸部７１が螺進する過程では、大径部７３がバーリング部３６の内周に摺動可能とされ、これによって軸部７１の直立姿勢が維持されるようになっている。また、小径部７４の外周にはねじ部７５が設けられている。小径部７４の先端部（下端部）は、下壁部３１の軸受孔３５を貫通したあとナット８０のねじ孔８１内に挿入され、ねじ部７５がねじ孔８１に螺着されることでナット８０に保持される。
【００２３】
軸部７１の上下方向中間部には、大径部７３から小径部７４にかけて漸次径寸法を減少させるテーパ状のカム部９０が設けられている。カム部９０の外周は、上下方向に対して所定の傾斜角をもって傾斜する形態とされている。具体的には、カム部９０の外周は、上方へ行くに従って次第に横方向に張り出すように傾斜する形態になっている。ここで、カム部９０の傾斜角（上下方向に対する傾斜角）は、カム受部２７の内面の傾斜角よりも大きくされている。
【００２４】
以上が実施例１のバッテリー端子１０の構造であり、続いて、その作用を説明する。
組み立てに際し、第２締付部２３の収容凹部３７内にナット８０がスライドして装着され、次いで、ボルト７０の軸部７１が上壁部２９の軸受孔３４から下壁部３１の軸受孔３５へと差し込まれる。すると、大径部７３が上壁部２９の軸受孔３４を貫通するとともに、小径部７４が下壁部３１の軸受孔３５を貫通し、且つ、小径部７４の先端部がナット８０に螺合して配置される。これにより、ボルト７０が上下方向に起立した状態で位置決めされる。
【００２５】
上記において、小径部７４の先端部がナット８０に緩く螺合した状態では、電極保持部２１は拡径状態にあり、軸部７１を挟んだ左右両側のうち、図１の向かって左側（第２端２５側）に、第１対向壁部２６と第２対向壁部２８が左右方向に所定の離間距離をあけて対向して配置され、且つ、ボルト７０のカム部９０が第１対向壁部２６のカム受部２７の上端側に当接又は近接して配置されるとともに、ボルト７０の頭部７２が上壁部２９の上方に離間するように露出して配置される（図１を参照）。また、第２締付部２３における上壁部２９と第２対向壁部２８と下壁部３１との間に、第１締付部２２のほぼ全体が収容される。
【００２６】
バッテリーポスト６０への取り付けに際し、バッテリーポスト６０に上方から上記拡径状態にある電極保持部２１が遊びをもって外嵌される。続いて、ボルト７０の頭部７２に図示しないインパクトレンチ等の締付工具が係合され、その状態で、ボルト７０の頭部７２が回転させられる。すると、カム部９０がカム受部２７の内面を摺動しつつ下方に変位し、それに伴いカム受部２７がカム部９０に押動されて、第１対向壁部２６が図１の向かって左側となる横方向に変位させられる。そして、ナット８０に対するボルト７０のねじ込み量が増加するに従い、第１対向壁部２６が第２対向壁部２８に次第に近づいていく。このとき、第１対向壁部２６の上下両端には上壁部２９と下壁部３１が摺動可能に配置されているため、上壁部２９と下壁部３１との間でガイドされつつ第１対向壁部２６が変位させられる。
【００２７】
そして、第１、第２対向壁部２６、２８が互いに接近することで、電極保持部２１が縮径するように変形していく。縮径した電極保持部２１は、バッテリーポスト６０の外周面にほぼ面接触状態で密着し、もってバッテリーポスト６０に導通接続された状態に保持される。また、端子本体２０がバッテリーポスト６０に取り付け固定される。なお、ボルト７０の頭部７２がバーリング部３６の上端に当接することで、ボルト７０のそれ以上の締め付け動作が停止される。
【００２８】
以上説明したように、実施例１によれば、ボルト７０が縦方向の上方からナット８０に締め付けられると、第１対向壁部２６のカム受部２７がボルト７０のカム部９０と摺動して、第１対向壁部２６が横方向に変位して第２対向壁部２８に近づき、これによって電極保持部２１が縮径変形して、端子本体２０がバッテリーポスト６０に取り付け固定されるため、締付作業を上方から行うことができ、作業性を向上させることができる。しかも、第１、第２締付部２２、２３と電極保持部２１がいずれも端子本体２０に一体に成形され、ボルト７０とナット８０を除けば、さらなる別部材が不要となるため、従来に比べて、部品点数を大幅に削減することができる。
【００２９】
また、カム部９０がボルト７０の軸部７１に設けられ、ボルト７０の頭部７２が上壁部２９の上方に露出して配置されるため、頭部７２に締付工具を支障なく係合させることができ、締付作業を容易に行うことができる。
【００３０】
さらに、カム受部２７の内面も上方に対して傾斜する形態であることから、カム部９０とともにカム受部２７もカム作用を発揮することができ、第１、第２対向壁部２６、２８の接近動作を円滑に行うことができる。さらにまた、第１対向壁部２６の変位動作が上壁部２９と下壁部３１とによってガイドされるため、第１、第２対向壁部２６、２８の接近動作をより円滑に行うことができる。
【００３１】
＜実施例２＞
図４は、本発明の実施例２を示す。実施例２のバッテリー端子１０Ａでは、ボルト７０Ａとナット８０Ａの締付時に、ボルト７０Ａが固定され、ナット８０Ａが可動側の部材として動作するようになっており、その点で実施例１とは異なる。
【００３２】
電極保持部２１Ａの第１、第２端２４Ａ、２５Ａは、上下方向に対して傾斜する方向に沿って配置されている。第１締付部２２Ａは、電極保持部２１Ａの第１端２４Ａの上部から前方に突出する平板状の第１対向壁部２６Ａと、第１対向壁の下端から第２端２５Ａ側とは反対側（図４の向かって右側）に突出する平板状のガイド片部３８とからなる。
【００３３】
第１対向壁部２６Ａは、第１端２４Ａの傾斜に対応するように上下方向に対して傾斜する形態とされ、カム受部２７Ａとしての機能を有する。第１対向壁部２６Ａの内面は、上方へ行くに従って第２端２５Ａ側（図４の向かって左側）に傾くテーパ状をなし、ここにナット８０Ａの後述するカム部９０Ａが摺動可能とされている。ガイド片部３８は、左右方向に沿って配置され、左右方向に長い長孔状のガイド孔３９を有している。ガイド片部３８のガイド孔３９には、ボルト７０Ａの軸部７１Ａが挿通されるようになっている。詳細は図示しないが、ガイド孔３９の短径方向の開口幅は、ボルト７０Ａの軸部７１Ａの外径寸法よりも僅かに大きくされている。
【００３４】
第２締付部２３Ａは、電極保持部２１Ａの第２端２５Ａから前方に突出する平板状の第２対向壁部２８Ａと、第２対向壁部２８Ａの下端から複数回の折り曲げによって閉ループ状に閉じられた扁平筒状のボルト保持部４１とからなる。第２対向壁部２８Ａは、第１対向壁部２６Ａとの間に所定の離間距離をあけて左右方向に対向して配置され、且つ、第１対向壁部２６Ａとほぼ同一の傾斜角で傾斜しつつ平行に配置されている。ボルト保持部４１は、先端部４４が第２対向壁部２８Ａの下端側に設けられた係止孔４２に挿入されて屈曲係止されることで、その筒形状が開き止めされた状態で保持される。
【００３５】
ボルト保持部４１の上下両壁には、ボルト７０Ａの軸部７１Ａを挿通可能な軸受孔３４Ａ、３５Ａが上下方向に同軸に貫通して設けられている。また、ボルト保持部４１の上下両壁には、それぞれの軸受孔３４Ａ、３５Ａの周縁から互いに向き合うように立ち上がる上下一対のバーリング部３６Ａが設けられている。さらに、ボルト保持部４１の下端部には、ボルト７０Ａの頭部７２Ａを左右両側から挟むことが可能な一対の突片部４５が設けられている。ここで、ボルト７０Ａは、外周にねじ部７５Ａを有する頭部７２Ａと軸部７１Ａとを有する公知のものであり、両突片部４５間に頭部７２Ａが配置された状態で、軸部７１Ａがボルト保持部４１の両軸受孔３４Ａ、３５Ａを貫通しつつ上方に起立して配置されるようになっている。
【００３６】
ナット８０Ａは、中心部にねじ孔８１Ａを有する円板状のナット本体８３と、ねじ孔８１Ａを含みつつナット本体８３の中心部の上面から立ち上がる円筒状の係合部８４とからなる。ナット本体８３の外周面は、その下端から上端にかけて漸次径寸法を増加させるように、上下方向に対して傾斜したカム部９０Ａとされている。
【００３７】
実施例２の場合、ボルト７０Ａがボルト保持部４１に下方から挿通され、その状態でボルト７０Ａの軸部７１Ａの先端部（上端部）にナット８０Ａが緩く螺合して装着される。このとき、ボルト７０Ａの軸部７１Ａの先端部がボルト保持部４１の両バーリング部３６Ａに位置決め状態で挿通されることにより、ボルト７０Ａの起立姿勢が良好に維持される。
【００３８】
また、ボルト７０Ａの軸部７１Ａの先端部にナット８０Ａが緩く螺合した状態では、電極保持部２１Ａは拡径状態にあり、ナット８０Ａを挟んだ左右両側のうち図４の向かって左側に、第１対向壁部２６Ａと第２対向壁部２８Ａとが所定の離間距離をもって対向して配置され、且つ、ナット８０Ａのカム部９０Ａが第１対向壁部２６Ａのカム受部２７Ａの上端側に当接又は近接して配置されるとともに、ナット８０Ａの係合部８４が軸部７１Ａの先端部に螺着された状態で露出して配置される。また、ガイド片部３８がボルト保持部４１の上面に当接可能に配置され、ボルト７０Ａの軸部７１Ａがガイド片部３８のガイド孔３９内の図示向かって左端寄りの位置に配置される。
【００３９】
続いて、バッテリーポスト６０に上方から上記拡径状態にある電極保持部２１Ａが遊びをもって外嵌される。次いで、ナット８０Ａの係合部８４に締付工具が係合され、その状態で、ナット８０Ａが回転させられる。すると、カム部９０Ａがカム受部２７Ａの内面を摺動しつつ下方に変位し、それに伴いカム受部２７Ａがカム部９０Ａに押動されて、第１対向壁部２６Ａが図４の向かって左側となる横方向に変位させられる。そして、ボルト７０Ａに対するナット８０Ａのねじ込み量が増加するに従い、第１対向壁部２６Ａが第２対向壁部２８Ａに次第に近づいていく。このとき、ボルト７０Ａの軸部７１Ａにガイド孔３９の前後両縁が摺動することにより、第１対向壁部２６Ａの変位動作がガイドされる。そして、第１、第２対向壁部２６Ａ、２８Ａが互いに接近することで、電極保持部２１Ａが縮径するように変形していく。縮径した電極保持部２１Ａは、バッテリーポスト６０の外周面にほぼ面接触状態で密着し、もってバッテリーポスト６０に導通接続された状態に保持される。また、端子本体２０Ａがバッテリーポスト６０に取り付け固定される。
【００４０】
このように、実施例２の場合、カム部９０Ａとカム受部２７Ａとによるカム機構の基本的な原理は実施例１と同様である。また、実施例２によれば、実施例１と同様、ボルト７０Ａとナット８０Ａの締め付けに際し、部品点数を増加させずに、縦方向の上方から締付作業を行うことができる。
【００４１】
＜他の実施例＞
以下、他の実施例を簡単に説明する。
（１）ボルトとナットの締付方向となる縦方向は、厳密に上下方向（バッテリーポストの軸線方向）に設定されていなくてもよく、使用状況等を勘案して、上下方向に対して多少傾いた方向も含まれる。
（２）ボルトと螺合する部分（ボルト受部）は、ナットに限らず、例えば、実施例１のバーリング部の内周面をボルトのねじ部が螺着可能となるようにねじ切りし、これによってバーリング部をボルト受部としてもよい。こうすると、ナットを省略できるため、部品点数をさらに削減することができる。
（３）カム受部は、カム機能を有さず、斜面形状をとらないものであってもよい。
【符号の説明】
【００４２】
１０、１０Ａ…バッテリー端子
２０、２０Ａ…端子本体
２１、２１Ａ…電極保持部
２７、２７Ａ…カム受部
２９…上壁部
３１…下壁部
６０…バッテリーポスト
７０、７０Ａ…ボルト
７１、７１Ａ…軸部
７２、７２Ａ…頭部
８０、８０Ａ…ナット
９０、９０Ａ…カム部
【図１】
2016149186.tif 000003
【図２】
2016149186.tif 000004
【図３】
2016149186.tif 000005
【図４】
2016149186.tif 000006